(57)【要約】【課題】  ビルディングは、屋外よりの輻射熱を大半吸収してしまい、夏は暑く冬は寒いので多くの暖冷房費がかかるという問題があった。【解決手段】  ビルディングの壁面に、２箇所以上のアルミホイル等輻射熱に対して高反射率の素材を利用した反射面と、２箇所以上の静止空気層を形成する様に胴縁等を設けたビルディングの遮熱断熱工法。【選択図】図５
2007239429.tif 000002
【特許請求の範囲】
【請求項１】
床、壁、屋根、間仕切り等ビルディングの壁面の外装材と内装材との間に、２箇所以上のアルミホイル等輻射熱に対して高反射率の素材の反射面と、２箇所以上の静止空気層を形成される様に胴縁等を設けたビルディングの遮熱断熱工法。
【請求項２】
床、壁、屋根、間仕切り等ビルディングの躯体の両外面に、直接アルミホイル等輻射熱に対して高反射率の素材又は高反射率の素材を利用した遮熱シートを取り付け、更にその両外側に胴縁等により静止空気層が形成される様に外装材と内装材を取り付けたビルディングの遮熱断熱工法。
【請求項３】
床、壁、屋根、間仕切り等ビルディングの躯体の外装面側に、直接アルミホイル等輻射熱に対して高反射率の素材又は高反射率の素材を利用した遮熱シートを取り付け、更にその外側に胴縁等により静止空気層が形成される様に外装材を取り付け、室内側はアルミホイル等輻射熱に対して高反射率の素材を利用した反射面を少なくても１箇所以上取り付けた遮熱シートや遮熱ボード等の遮熱体を、躯体内壁面と内装材との間に両面共胴縁等により静止空気層を形成される様に取り付けたビルディングの遮熱断熱工法。
【請求項４】
床、壁、屋根、間仕切り等ビルディングの躯体の内装面側に、直接アルミホイル等輻射熱に対して高反射率の素材又は高反射率の素材を利用した遮熱シートを取り付け、更にその外側に胴縁等により静止空気層が形成される様に内装材を取り付け、屋外側はアルミホイル等輻射熱に対して高反射率の素材を利用した反射面を少なくても１箇所以上取り付けた遮熱シートや遮熱ボード等の遮熱体を、躯体外壁面と外装材との間に両面共胴縁等により静止空気層を形成される様に取り付けたビルディングの遮熱断熱工法。
【請求項５】
床、壁、屋根、間仕切り等ビルディングの躯体の内壁面と内装材との間に、又は外壁面と外装材の間に、両面にアルミホイル等輻射熱に対して高反射率の素材を利用した反射面をもつ遮熱シートや遮熱ボード等の遮熱体を、両面共胴縁等により静止空気層を形成される様に取り付けたビルディングの遮熱断熱工法。
【発明の詳細な説明】
【技術分野】
【０００１】  本発明は、床、壁、屋根、間仕切り等（以下壁面と言う）ビルディングの躯体表面に直接アルミホイル等輻射熱に対して高反射率の素材又は高反射率の素材を利用した遮熱シート等を取り付けたり、外装材や内装材と躯体との間にアルミホイル等輻射熱に対して高反射率の素材を利用した遮熱体等を静止空気層を形成するように取り付ける事により、エネルギーの削減を行おうとするビルディングの遮熱断熱工法。
【背景技術】
【０００２】  ビルデイングでは、躯体外壁に遮熱塗料を塗布したり遮熱シート等を屋上に施工して遮熱を行っているものは一般的に施工されている。又、構造躯体にアルミホイル直接を取り付けた工法もあるが、通気工法が採用されている。本発明の様に、ビルディングの構造躯体にアルミホイル等輻射熱に対して高反射率の素材又は高反射率の素材を利用した遮熱シートを取り付け、且つ静止空気層を設けた工法はこれまで提供されていない。
【発明の開示】
【発明が解決しようとする課題】
【０００３】  全米の多くの機関の報告として、ビルディング等の空間での熱損失の大半は輻射熱によるもので、その量は６５〜８０パーセントを占めると報告されている。従って、この輻射熱を減少させない限り、ビルディングの断熱性能の向上は図れず、大幅なエネルギー削減をすることは難しい。しかし、ビルディングの壁面に使用されている素材は、輻射熱を反射する機能が低く大半は吸収し熱となる。この結果、壁面は蓄熱体となり多くの暖冷房費が必要であった。この傾向は壁面のボリュームが大きいほど多くなり、夏は夜中まで暑く、冬は室内が中々温まらないという問題があった。
又、遮熱塗料や遮熱シートの工法では、遮熱材等が外気に直接触れる様に施工されるため、光や風そして埃等の影響でその性能も時間と共に低下してしまう事、これら施工は主に屋外側のみで、室内側よりの輻射熱に対しては余り効果がないという問題があった。
更に、コンクリート等の構造躯体に直接アルミホイル等を取り付けた工法もあるが、外装材と躯体との間に空気を通す通気工法が採用されている。しかし、アルミホイル等は対流熱に弱く結露の原因になること、通気工法は外気の熱を排出するが同時に内部の熱をも排出してしまう為、建物内の省エネルギー効果は不充分であるという問題があった。
本発明は、この問題を解決するためのビルディングの遮熱断熱工法である。
【課題を解決するための手段】
【０００４】  上記問題を解決する為本発明は、床、壁、屋根、間仕切り等ビルディングの壁面の外装材と内装材との間に、２箇所以上のアルミホイル等輻射熱に対して高反射率の素材の反射面と、２箇所以上の静止空気層が形成される様に胴縁等を設けたビルディングの遮熱断熱工法である。
ビルディングの躯体が乾燥状態であれば、躯体の両面に直接アルミホイル等輻射熱に対して高反射率の素材又は高反射率の素材を利用した遮熱シートを取り付け、その両外側に胴縁等により静止空気層が形成される様に外装材及び内装材を取り付ければよい。
ビルディングの躯体が非乾燥であれば、躯体の両面のどちらか一方に直接アルミホイル等輻射熱に対して高反射率の素材又は高反射率の素材を利用した遮熱シートを取り付け、その外側に胴縁等により静止空気層が形成される様に内装材又は外装材を取り付け、又他方はアルミホイル等輻射熱に対して高反射率の素材を利用した反射面を少なくても１箇所以上取り付けた遮熱シートや遮熱ボード等の遮熱体を、両面共胴縁等により静止空気層が形成される様に躯体と内装材又は外装材との間に取り付ける。この場合、躯体内部の湿気等を排出する為に、アルミホイル等輻射熱に対して高反射率の素材又は高反射率の素材を利用した遮熱シートを躯体の外装面側に直接取り付けた場合は、外装材から躯体内壁面へ貫通する換気口を、又アルミホイル等輻射熱に対して高反射率の素材又は高反射率の素材を利用した遮熱シート等を躯体の内装面側に直接取り付けた場合は、外装材からアルミホイル等輻射熱に対して高反射率の素材又は高反射率の素材を利用した遮熱シートの内装面側へ貫通する換気口を設けると良い。
又別の施工例として、躯体と外装材又は内装材との間に、両面にアルミホイル等輻射熱に対して高反射率の素材を利用した反射面をもつ遮熱シートや遮熱ボード等の遮熱体を、両面共胴縁等により静止空気層が形成される様に取り付ける工法もある。
【発明を実施する為の最良の形態】
【０００５】  以下本発明を実施する為の最良の形態について説明する。
アルミホイル等輻射熱に対して高反射率の素材は、輻射熱を約９７パーセント以上反射する性能を持っている。本発明はこの性能を利用したもので、ビルディングの外装材と内装材との間に、少なくても２箇所以上のアルミホイル等輻射熱に対して高反射率の薄型の素材の反射面と、２箇所以上の静止空気層を持つ様に形成した工法である。但し、アルミホイル等輻射熱に対して高反射率の素材又は高反射率の素材を利用した遮熱シートは、輻射熱に対しては高い性能を発揮するが、対流熱や伝導熱に対しては逆効果となる為、静止空気層を形成しこの影響を受けない様に対処している。
図１は、構造躯体である躯体壁等４の両面に直接アルミホイル等輻射熱に対して高反射率の素材３又は高反射率の素材を利用した遮熱シートを取り付け、両面共胴縁等２により静止空気層を形成し、更にその両外側に外装材１及び内装材５を取り付けたもので、ビルディングの構造躯体を構造材兼遮熱断熱材としたものである。
図２は、躯体壁等４の外装面側にアルミホイル等輻射熱に対して高反射率の素材３又は高反射率の素材を利用した遮熱シートを取り付け、その外側に胴縁等２により静止空気層を形成し、外側より外装材１を取り付けたものである。室内側は、二つの胴縁等２の間にアルミホイル等輻射熱に対して高反射率の素材３を利用した遮熱シートや遮熱ボード等の遮熱体６を胴縁等２で挟む事により静止空気層を形成し、躯体壁等４の内壁面と内装材５の間に取り付けたものである。このアルミホイ等遮熱体６は、少なくてもアルミホイル等輻射熱に対して高反射率の素材３を１箇所以上取り付けたものである。躯体壁等４の乾燥が充分でない場合は、躯体壁等４より発生する湿気の排出の為に、外装材１と躯体壁等４を貫く換気口７を設けておくと良い。
図３は、躯体壁等４の外装面側に、アルミホイル等輻射熱に対して高反射率の素材３を利用した遮熱シートや遮熱ボード等の遮熱体６を胴縁等２で静止空気層を形成し、外側から外装材１を取り付けたものである。又、躯体壁等４の乾燥が不十分な場合は、躯体壁等４より発生する湿気の排出の為に、外装材１とアルミホイル等遮熱体等６を貫く換気口を設ておくと良い。
図４は、両面にアルミホイル等輻射熱に対して高反射率の素材３を利用した遮熱シートや遮熱ボード等の遮熱体等６を、二つの胴縁等２により挟み込み静止空気層を形成し、躯体壁等４の内壁面と内装材５との間に取り付けたものである。
何れの場合も、外装材と内装材との間に、少なくとも２箇所以上のアルミホイル等輻射熱に対して高反射率の素材３を利用した反射面及び、２箇所以上の静止空気層を形成した工法である。
【発明の効果】
【０００６】  ビルディングの躯体の両壁面に取り付けたアルミホイル等輻射熱に対して高反射率の素材又は高反射率の素材を利用した遮熱シートは、壁面を通過する輻射熱を約９７パーセント以上輻射熱の侵入面側に反射してしまうので、躯体壁等には３パーセント程度しか侵入しない事となる。従って、屋外よりの熱は室内側に取り込まれない事、又室内側の熱は室外側に逃げない事となり高い遮熱性を得ることとなる。又、躯体壁等の厚さが断熱材的役割を果たし、断熱性能をも向上する事となる。この効果は、躯体壁等の厚みが厚い程大きくなる。この結果、ビルディングの構造躯体を高性能の遮熱断熱とする事が出来る。
図２の様に、躯体壁等が充分乾燥されていない場合は、室内側より躯体壁等の湿気を排出するが、輻射熱の反射率に対しては同様の効果である。しかし、静止空気層が１層増える為、断熱性能は図１より更に向上する事となる。
図３の様に、アルミホイル等輻射熱に対して高反射率の素材を利用したアルミホイル等遮熱体を、躯体の外壁に静止空気層を形成する様に取り付けた場合は、輻射熱の反射率は同等であるが、遮熱体の厚みが薄い事から、伝導熱に対しては図１又は図２の工法より劣る。しかし、施工が簡単であることや室内空間が狭くならないと言う利点がある。
図４は、躯体壁等の外側に遮熱体等を施工出来ない場合の工法であるが、輻射熱の反射率に対しては、図１、図２、図３の工法と同等である。この工法は、躯体壁等に蓄熱された熱の影響を受けやすい事や室内空間が狭くなる事等の問題はあるが、施工が簡単である為いかなるビルディングにも対応出来ると言う利点がある。
以上の様に、いずれの方法も工法の違いはあるものの、ビルディング等の空間を通過する輻射熱を大半カットする事が出来るばかりでなく、伝導熱や対流熱をも減少させることが出来、大幅な省エネルギー効果を生み出す事ができる。
又、これらアルミホイル等輻射熱に対して高反射率の素材の取り付け位置は、全て外装材や内装材で囲まれた空間内にある為、屋外や屋内の埃や光等自然環境の影響を受けない。従って、長期に安定した性能を保持する事が出来る。
更に、アルミホイル等輻射熱に対して高反射率の素材は電磁波も反射してしまう為、高圧線の近くでは電磁波対策としても効果的である。
【図面の簡単な説明】
【０００７】
【図１】躯体壁等の両面に直接アルミホイル等輻射熱に対して高反射率の素材又は高反射率の素材を利用した遮熱シートを静止空気層を形成される様に取り付けた部分断面図である。
【図２】躯体壁等の室外側の壁面に直接アルミホイル等輻射熱に対し高反射率の素材又は高反射率の素材を利用した遮熱シートを静止空気層が出来る様に取り付け，室内側にはアルミホイル等輻射熱に対して高反射率の素材を利用した遮熱体等を２つの静止空気層が形成される様に取り体付けた部分断面図である。
【図３】躯体壁等の外側にアルミホイル等輻射熱に対して高反射率の素材を利用した遮熱体等を２つの静止空気層が出来るように取り付けた部分断面図である。
【図４】躯体壁等の室内側にアルミホイル等輻射熱に対して高反射率の素材を利用した遮熱体等を２つの静止空気層が形成される様に取り付けた部分断面図である。
【図５】躯体壁等の両側にアルミホイル等輻射熱に対して高反射率の素材又は高反射率の素材を利用した遮熱シートを直接取り付け、その両外側に胴縁等により静止空気層を取り付けた斜視断面図である。
【符号の説明】
【０００８】  １  外装材
２  胴縁等
３  アルミホイル等
４  躯体壁等
５  内装材
６  アルミホイル等遮熱体
７  換気口
【図１】
2007239429.tif 000003
【図２】
2007239429.tif 000004
【図３】
2007239429.tif 000005
【図４】
2007239429.tif 000006
【図５】
2007239429.tif 000007